【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
少なくとも、フッ化炭素基と炭化水素基とアルコキシシリル基を主成分とする物質または炭化水素基あるいはジメチルシリル基とアルコキシシリル基を含む物質と、水と、アルコール及び／または界面活性剤を含むことを特徴とする撥水撥油防汚処理液。
【請求項２】
さらにアルコキシシリル基を主成分とする物質が添加されていることを特徴とする請求項１に記載の撥水撥油防汚処理液。
【請求項３】
アルコールとして、エタノール、プロピルアルコール、ブタノール、エチレングリコール、あるいは界面活性剤として下記化学式（化１）で表されるテトラアルキルアンモニウム塩を用いることを特徴とする請求項１および２に記載の撥水撥油防汚処理液。
【化１】
2008138109.tif 000001
【請求項４】
フッ化炭素基と炭化水素基とアルコキシシリル基を主成分とする物質としてＣＦ3−（ＣＦ2）ｎ−（ＣＨ２）２−Ｓｉ（ＯＡ）3または［ＣＦ3−（ＣＦ2）ｎ−（ＣＨ２）２］２−Ｓｉ（ＯＡ）２、［ＣＦ3−（ＣＦ2）ｎ−（ＣＨ２）２］３−ＳｉＯＡ（ｎは０又は１６以下の整数、Ａはアルキル基）を用いることを特徴とする請求項１乃至３に記載の撥水撥油防汚処理液。
【請求項５】
アルコキシシリル基を主成分とする物質としてＳｉ（ＯＡ）４、または（ＡＯ）３Ｓｉ（ＯＳｉ（ＯＡ）２）ｎＯＳｉ（ＯＡ）３（ｎは、０または１、２の整数、Ａはアルキル基）を用いることを特徴とする請求項２乃至４に記載の撥水撥油防汚処理液。
【請求項６】
処理液のｐＨが５乃至１１であることを特徴とする請求項１乃至５に記載の撥水撥油防汚処理液。
【請求項７】
少なくとも、フッ化炭素基と炭化水素基とアルコキシシリル基を主成分とする物質または炭化水素基あるいはジメチルシリル基とアルコキシシリル基を含む物質と、水と、アルコール及び／または界面活性剤を混合して分散させることを特徴とする撥水撥油防汚処理液の製造方法。
【請求項８】
さらにアルコキシシリル基を主成分とする物質を添加混合して分散させることを特徴とする請求項７に記載の撥水撥油防汚処理液の製造方法。
【請求項９】
界面活性剤としてアルコールまたは下記化学式（化２）で表されるテトラアルキルアンモニウム塩を用い、ホモジナイザーまたは超音波分散機を用いて分散させることを特徴とする請求項７および８に記載の撥水撥油防汚処理液の製造方法。
【化２】
2008138109.tif 000002
【請求項１０】
少なくとも、フッ化炭素基と炭化水素基とアルコキシシリル基を主成分とする物質または炭化水素基あるいはジメチルシリル基とアルコキシシリル基を含む物質と、水と、アルコール及び／または界面活性剤を含む撥水撥油防汚処理液と基材を接触させて、基材表面に基材表面と共有結合した撥水撥油防汚性被膜を形成することを特徴とする撥水撥油防汚処理方法。
【請求項１１】
少なくとも、フッ化炭素基と炭化水素基とアルコキシシリル基を主成分とする物質または炭化水素基あるいはジメチルシリル基とアルコキシシリル基を含む物質と、水と、アルコール及び／または界面活性剤を含む撥水撥油防汚処理液を接触させて、表面に共有結合した撥水撥油防汚性被膜を形成したことを特徴とする物品。
【手続補正２】
【補正対象書類名】明細書
【補正対象項目名】０００８
【補正方法】変更
【補正の内容】
【０００８】
前記目的を達成するため、具体的に提供される第１の発明は、少なくとも、フッ化炭素基と炭化水素基とアルコキシシリル基を主成分とする物質または炭化水素基あるいはジメチルシリル基とアルコキシシリル基を含む物質と、水と、アルコール及び／または界面活性剤を含むことを特徴とする撥水撥油防汚処理液である。
【手続補正３】
【補正対象書類名】明細書
【補正対象項目名】０００９
【補正方法】変更
【補正の内容】
【０００９】
第２の発明は、第１の発明に於いて、さらにアルコキシシリル基を主成分とする物質が添加されていることを特徴とする撥水撥油防汚処理液である。
【手続補正４】
【補正対象書類名】明細書
【補正対象項目名】００１５
【補正方法】変更
【補正の内容】
【００１５】
第７の発明は、少なくとも、フッ化炭素基と炭化水素基とアルコキシシリル基を主成分とする物質または炭化水素基あるいはジメチルシリル基とアルコキシシリル基を含む物質と、水と、アルコール及び／または界面活性剤を混合して分散させることを特徴とする撥水撥油防汚処理液の製造方法である。
【手続補正５】
【補正対象書類名】明細書
【補正対象項目名】００１６
【補正方法】変更
【補正の内容】
【００１６】
第８の発明は、第７の発明に於いて、さらにアルコキシシリル基を主成分とする物質を添加混合して分散させることを特徴とする撥水撥油防汚処理液の製造方法である。
【手続補正６】
【補正対象書類名】明細書
【補正対象項目名】００１９
【補正方法】変更
【補正の内容】
【００１９】
第１０の発明は、少なくとも、フッ化炭素基と炭化水素基とアルコキシシリル基を主成分とする物質または炭化水素基あるいはジメチルシリル基とアルコキシシリル基を含む物質と、水と、アルコール及び／または界面活性剤を含む撥水撥油防汚処理液と基材を接触させて、基材表面に基材表面と共有結合した撥水撥油防汚性被膜を形成することを特徴とする撥水撥油防汚処理方法である。
第１１の発明は、少なくとも、フッ化炭素基と炭化水素基とアルコキシシリル基を主成分とする物質または炭化水素基あるいはジメチルシリル基とアルコキシシリル基を含む物質と、水と、アルコール及び／または界面活性剤を含む撥水撥油防汚処理液を接触させて、表面に共有結合した撥水撥油防汚性被膜を形成したことを特徴とする物品である。
【手続補正７】
【補正対象書類名】明細書
【補正対象項目名】００２０
【補正方法】変更
【補正の内容】
【００２０】
さらに、具体的に説明すると、本発明は、少なくとも、フッ化炭素基と炭化水素基とアルコキシシリル基を主成分とする物質または炭化水素基あるいはジメチルシリル基とアルコキシシリル基を含む物質と、水と、アルコール及び／または界面活性剤、あるいは、少なくとも、フッ化炭素基と炭化水素基とアルコキシシリル基を主成分とする物質または炭化水素基あるいはジメチルシリル基とアルコキシシリル基を含む物質と、アルコキシシリル基を主成分とする物質と、水と、アルコール及び／または界面活性剤を混合して分散させる工程により、少なくとも、フッ化炭素基と炭化水素基とアルコキシシリル基を主成分とする物質または炭化水素基あるいはジメチルシリル基とアルコキシシリル基を含む物質と、水と、アルコール及び／または界面活性剤、あるいは、少なくとも、フッ化炭素基と炭化水素基とアルコキシシリル基を主成分とする物質または炭化水素基あるいはジメチルシリル基とアルコキシシリル基を含む物質と、アルコキシシリル基を主成分とする物質と、水と、アルコール及び／または界面活性剤を含む撥水撥油防汚処理液を提供するものである。
【手続補正８】
【補正対象書類名】明細書
【補正対象項目名】００２６
【補正方法】変更
【補正の内容】
【００２６】
また、このとき、アルコールとしてアルコール類、界面活性剤として上記化学式（化１）で表されるテトラアルキルアンモニウム塩を使用して、ホモジナイザーや超音波分散機を用いて分散させると、処理液を均一且つ安定にする上で都合がよい。
【手続補正９】
【補正対象書類名】明細書
【補正対象項目名】００２７
【補正方法】削除
【補正の内容】
【手続補正１０】
【補正対象書類名】明細書
【補正対象項目名】００４９
【補正方法】変更
【補正の内容】
【００４９】
さらに、実施例１に於いて、水−アルコール溶媒にさらに陽イオン界面活性剤である上記化学式（化２）で表されるテトラアルキルアンモニウム塩が０．００５ｍｏｌ／Ｌになるように添加して同様の実験を行ってみたが、ほぼ同様の被膜が形成できた。
【手続補正１１】
【補正対象書類名】明細書
【補正対象項目名】００５０
【補正方法】削除
【補正の内容】
【手続補正１２】
【補正対象書類名】明細書
【補正対象項目名】００５２
【補正方法】変更
【補正の内容】
【００５２】
また、界面活性剤としては、中性乃至弱アルカリ性の界面活性剤であれば使用できるが、中でも調合処理液のｐＨが５乃至１１になるものでないと高性能の被膜を形成できなかった。ｐＨが５未満の場合、密度の高い被膜が形成できなかった。一方、ｐＨが１２を超えると、被膜の一部が破壊された。
なお、上記化学式（化１）で表されるテトラアルキルアンモニウム塩の内、特に好ましいものは、Ｒ１の炭素数が１２〜１６であった。